(57)【特許請求の範囲】
【請求項１】
電柱の腕金の端部に取り付けられる腕金保持部と、この腕金保持部の先端に固定されて複数の碍子及び高圧引下線を支持する碍子支持腕と、を備えた高圧引下線支持金物において、
前記腕金保持部は、第１の間接活線工具の先端の第１の先端工具で把持される第１の把持部が取り付けられ、
前記碍子支持腕は、第２の間接活線工具の先端の第２の先端工具で把持される第２の把持部が取り付けられ、
前記第２の把持部は、前記第２の先端工具で把持された状態において、前記第２の先端工具の把持位置にずれが生じたとしても、前記第２の先端工具が前記碍子に接触しないように、前記碍子支持腕に支持された前記碍子と前記第２の先端工具との間にスペースを確保してある、
ことを特徴とする高圧引下線支持金物。
【請求項２】
前記第２の先端工具は、一対の把持アームが回動支軸を中心として回動できるようになっており、前記一対の把持アームの先端同士が接触するか又はクロスする状態を前記一対の把持アームの閉状態とすると、前記閉状態において、前記一対の把持アームの先端と前記回動支軸との間に隙間が形成され、
前記第２の把持部は、前記一対の把持アームの前記隙間に収容されて把持される棒状体と、前記第２の先端工具が前記棒状体に沿って移動するのを制限するストッパとを有する、
ことを特徴とする請求項１に記載の高圧引下線支持金物。
【請求項３】
前記第２の先端工具は、ストレーリンクトングであり、
前記第２の把持部は、前記ストレーリンクトングに把持される棒状体と、前記ストレーリンクトングが前記棒状体に沿ってずれ動くのを制限するストッパとを有する、
ことを特徴とする請求項１に記載の高圧引下線支持金物。
【請求項４】
前記碍子は、高圧ピン碍子であり、
前記第２の把持部の前記棒状体は、前記碍子支持腕の前記複数の高圧ピン碍子が取り付けられる碍子支持面で、且つ、前記複数の高圧ピン碍子のうちの隣り合う高圧ピン碍子と高圧ピン碍子との間に固定されており、
前記第２の把持部の前記ストッパは、前記棒状体の先端に位置し、且つ、前記棒状体の周囲に張り出した鍔状体である、
ことを特徴とする請求項２又は３に記載の高圧引下線支持金物。
【請求項５】
前記碍子は、高圧引留碍子を構成する茶台碍子であり、
前記碍子支持腕は、複数の前記茶台碍子を貫通する碍子取付軸で且つ複数の前記茶台碍子のうちの中央に位置する前記茶台碍子の両側に位置する部分をそれぞれ支持できるように一対設けられ、
前記第２の把持部の前記ストッパは、前記碍子支持腕にそれぞれ固定された一対の支持板であり、
前記第２の把持部の前記棒状体は、前記一対の支持板の先端側に張り渡された、
ことを特徴とする請求項２又は３に記載の高圧引下線支持金物。
【請求項６】
前記鍔状体と前記棒状体の境界部分は、前記高圧ピン碍子のスカート部の下端よりも前記碍子支持面寄りに位置している、
ことを特徴とする請求項４に記載の高圧引下線支持金物。
【請求項７】
前記碍子支持腕は、前記腕金保持部が前記腕金に取り付けられた状態において、前記腕金の前方側へ向かって前記腕金保持部から張り出し、
前記一対の支持板は、前記碍子支持腕の先端側から更に前方側へ向かって張り出し、前記棒状体を把持した前記第２の先端工具が前記茶台碍子に接触しないスペースを前記棒状体と前記茶台碍子との間に確保できるように形成された、
ことを特徴とする請求項５に記載の高圧引下線支持金物。
【発明の詳細な説明】
【技術分野】
【０００１】
この発明は、高圧引下線を吊り下げる高圧引下線支持金物に関する。
【背景技術】
【０００２】
従来から、電柱の腕金に取り付けられた高圧碍子で支持された高圧配電線から柱上変圧器等へ配線される高圧引下線は、柱上作業の安全を図るため、腕金の長手方向の一端部に取り付けられた高圧引下線支持金物の碍子で支持され、電柱から十分に離された状態で柱上変圧器等へ引き下げられている（特許文献１参照）。
【０００３】
図１０乃至図１４は、従来の高圧引下線支持金物１００を示す図である。
これらの図に示すように、従来の高圧引下線支持金物１００は、電柱の腕金１０１の端部に取り付けられる腕金保持部１０２と、この腕金保持部１０２の先端に固定されて高圧ピン碍子１０３及び高圧引下線１０４を支持する碍子支持腕１０５と、を有している（特許文献１及び２参照）。
【０００４】
そして、このような高圧引下線支持金物１００は、予め高圧ピン碍子１０３及び高圧引下線１０４を碍子支持腕１０５に取り付けた状態で腕金１０１に取り付けるようになっているため、全体重量が重く、一人の作業者のみで作業することが困難である。そのため、従来から、第１の作業者が腕金保持部１０２に形成された把持部１０６を第１の間接活線工具１７の先端工具（例えば、ストレーリンクトング１８の先端工具２０（図５参照））で掴み、第２の作業者が第２の間接活線工具３９の先端工具（例えば、絶縁ヤットコ２３の一対の把持アーム２５，２５）で高圧ピン碍子１０３の取付ボルト１０７を把持し（図６（ａ），（ｄ）参照）、第１の作業者が第１の間接活線工具１７を押し上げるように操作すると共に、第２の作業者が第２の間接活線工具３９を押し上げるように操作することによって、高圧引下線支持金物１００の腕金保持部１０２を腕金１０１の一端部に係合させるようにして取り付けていた。腕金１０１に取り付けられた高圧引下線支持金物１００は、門型固定プレート１１０、ボルト１１１、及びナット１１２によって腕金１０１に固定されていた。
【先行技術文献】
【特許文献】
【０００５】
【特許文献１】実開平６−２４３３３号公報
【特許文献２】特開２００６−５０８５５号公報
【発明の概要】
【発明が解決しようとする課題】
【０００６】
しかしながら、第２の作業者が操作している第２の間接活線工具３９の先端工具（例えば、絶縁ヤットコ２３の先端工具２４）は、上述したように高圧ピン碍子１０３及び高圧引下線１０４が取り付けられた状態における高圧引下線支持金物１００の全体重量が重いため、高圧引下線支持金物１００が移動途中で障害物に衝突すると、その衝突時の衝撃で高圧ピン碍子１０３の取付ボルト１０７を把持する位置がずれて、高圧ピン碍子１０３の磁器製のスカート部１０８に衝突し、高圧ピン碍子１０３のスカート部１０８を損傷させる虞があった。
【０００７】
そこで、本発明は、腕金保持部を腕金の端部に取り付ける際に、碍子支持腕で支持された碍子が第２の間接活線工具の先端工具で傷付けられることがない高圧引下線支持金物を提供することを目的とする。
【課題を解決するための手段】
【０００８】
本発明は、電柱の腕金２の端部に取り付けられる腕金保持部３と、この腕金保持部３の先端に固定されて複数の碍子４，５３及び高圧引下線５を支持する碍子支持腕６，５２と、を備えた高圧引下線支持金物１に関するものである。この発明において、前記腕金保持部３は、第１の間接活線工具１７（１８，２３，２８）の先端の第１の先端工具２０，２４，３０で把持される第１の把持部１１が取り付けられている。また、前記碍子支持腕６，５２は、第２の間接活線工具３９（１８，２３，２８）の先端の第２の先端工具２０，２４，３０で把持される第２の把持部４０，５０が取り付けられている。そして、前記第２の把持部４０，５０は、前記第２の先端工具２０，２４，３０で把持された状態において、前記第２の先端工具２０，２４，３０の把持位置にずれが生じたとしても、前記第２の先端工具２０，２４，３０が前記碍子４，５３に接触しないように、前記碍子支持腕６，５２に支持された前記碍子４，５３と前記第２の先端工具２０，２４，３０との間にスペースを確保してある。
【発明の効果】
【０００９】
本発明によれば、碍子支持腕に取り付けられた第２の把持部は、第２の間接活線工具の第２の先端工具で把持された状態において、第２の先端工具の把持位置にずれが生じたとして、第２の先端工具が碍子に接触しないように、碍子支持腕に支持された碍子と第２の先端工具との間にスペースを確保してある。そのため、本発明の高圧引下線支持金物は、腕金保持部を腕金の端部に取り付ける際に、第２の先端工具の把持位置にずれが生じたとしても、碍子支持腕に支持された碍子が第２の先端工具によって傷付けられることがない。
【図面の簡単な説明】
【００１０】
【図１】本発明の第１実施形態に係る高圧引下線支持金物を示す図であり、第２の把持部が取り付けられた高圧引下線支持金物の外観斜視図である。
【図２】図１に示した高圧引下線支持金物に複数の高圧ピン碍子及び高圧引下線が取り付けられた状態を示す図である。
【図３】図２の矢印Ａ１の方向から見て示す高圧引下線支持金物の碍子支持腕の正面図であり、高圧引下線を省略して示す図である。
【図４】図３のＢ１−Ｂ１線に沿って切断して示す高圧引下線支持金物の部分的断面図であり、高圧ピン碍子及び高圧引下線を省略して示す高圧引下線支持金物の部分的断面図である。
【図５】ストレーリンクトングを示す図であり、図５（ａ）がストレーリンクトングの全体図、図５（ｂ）がストレーリンクトングの先端工具の第１状態図、図５（ｃ）がストレーリンクトングの先端工具の第２状態図である。
【図６】絶縁ヤットコ及びクイック型ヤットコを示す図であり、図６（ａ）が絶縁ヤットコの全体図、図６（ｂ）が絶縁ヤットコの先端工具の第１状態図、図６（ｃ）が絶縁ヤットコの先端工具の第２状態図、図６（ｄ）が絶縁ヤットコの先端工具の第３状態図であり、図６（ｅ）がクイック型ヤットコの先端工具の閉状態を示す図である。
【図７】本発明の第１実施形態に係る高圧引下線支持金物が腕金に固定された状態を示す図である。
【図８】本発明の第２実施形態に係る高圧引下線支持金物を示す外観斜視図である。
【図９】本発明の第２実施形態に係る高圧引下線支持金物が腕金に固定された状態を示す図であり、高圧引留碍子を支持した状態の高圧引下線支持金物を示す図である。
【図１０】従来の高圧引下線支持金物の外観斜視図である。
【図１１】図１０に示した高圧引下線支持金物に複数の高圧ピン碍子及び高圧引下線が取り付けられた状態を示す図である。
【図１２】図１１の矢印Ａ２の方向から見て示す高圧引下線支持金物の碍子支持腕の正面図であり、高圧引下線を省略して示す図である。
【図１３】図１２のＢ２−Ｂ２線に沿って切断して示す高圧引下線支持金物の部分的断面図である。
【図１４】従来の高圧引下線支持金物が腕金に固定された状態を示す図である。
【発明を実施するための形態】
【００１１】
以下、本発明の実施形態を図面に基づき詳述する。
【００１２】
［第１実施形態］
図１は、本発明の第１実施形態に係る高圧引下線支持金物１を示す図であり、第２の把持部４０が取り付けられた高圧引下線支持金物１の外観斜視図である。また、図２は、図１の高圧引下線支持金物１に高圧ピン碍子４及び高圧引下線５が取り付けられた状態を示す図である。
これらの図に示すように、本実施形態に係る高圧引下線支持金物１は、電柱の腕金２の端部に取り付けられる腕金保持部３と、この腕金保持部３の先端に固定されて複数の高圧ピン碍子４及び高圧引下線５を支持する碍子支持腕６と、を有している（図７参照）。
【００１３】
図１及び図２に示すように、腕金保持部３は、対向するように離れて位置する一対の腕金保持アーム７，７と、この一対の腕金保持アーム７，７の一端側（後端側）を接続する後端部接続板８と、一対の腕金保持アーム７，７の長手方向中間部を接続する門型プレート１０と、この門型プレート１０と一対の腕金保持アーム７，７の他端側（先端側）との間に配置されて一対の腕金保持アーム７，７に掛け渡すように取り付けられた第１の棒状体１１（第１の把持部）と、を一体に有している。この腕金保持部３は、全体が金属材料で形成されている。そして、このような腕金保持部３は、門型プレート１０と一対の腕金保持アーム７，７との間に腕金２の一端部を挿入するように係合した後、門型固定プレート１２及びボルト１３・ナット１４で腕金２に固定される（図７参照）。なお、腕金保持部３は、門型プレート１０の上辺部１０ａが腕金２の上面２ａに当接して、腕金２の下方側へ落下するのが防止され、一対の腕金保持アーム７，７の上面７ａ及び後端部接続板８の上面８ａが腕金２の下面２ｂに当接することによって、腕金２の上方側へ抜け出るのが防止されるようになっている（図７参照）。また、腕金保持部３は、門型プレート１０の一対の側辺部１０ｂ，１０ｂが腕金２の側面２ｃ，２ｃに当接することによって、腕金２の側面２ｃに直交する方向へのずれ動きが制限されるようになっている。ここで、門型プレート１０及び門型固定プレート１２は、下方が開口端となるように、長尺の金属板をコ字形状に折り曲げた部材である。
【００１４】
図１及び図２に示すように、一対の腕金保持アーム７，７は、門型プレート１０の近傍から先端側の部分（傾斜アーム部分）１５，１５が斜め下方に折り曲げられ、傾斜アーム部分１５，１５の途中に第１の棒状体１１が取り付けられ、傾斜アーム部分１５，１５の先端に碍子支持腕６が固定されている。また、一対の腕金保持アーム７，７は、後端側に複数のボルト挿入穴１６が形成されており、ボルト１３の軸部１３ａがボルト挿入穴１６に挿入されるようになっている。
【００１５】
図１及び図２に示すように、第１の棒状体１１は、金属の丸棒であり、第１の間接活線工具１７としてのストレーリンクトング１８の先端工具２０を構成するフック部２１に引っ掛けられ、且つ、ストレーリンクトング１８の先端工具２０を構成する可動締め付け部２２とフック部２１とで把持される太さに形成されている（図４及び図５参照）。また、第１の棒状体１１は、第１の間接活線工具１７としての絶縁ヤットコ２３の先端工具２４を構成する一対の把持アーム２５，２５の先端２５ａ，２５ａ同士を接触させた状態を閉状態とすると、この閉状態において、一対の把持アーム２５，２５の先端２５ａ，２５ａと回動支軸２６との間に形成される隙間２７に収容して把持できる太さに形成されている（図６（ａ）、（ｃ）参照）。また、第１の棒状体１１は、第１の間接活線工具１７としてのクイック型ヤットコ２８の先端工具３０を構成する一対の把持アーム３１，３１の先端３１ａ，３１ａ同士がクロスした状態を閉状態とすると、この閉状態において、一対の把持アーム３１，３１の先端３１ａ，３１ａと回動支軸３２との間に形成される隙間３３に収容して把持できる太さに形成されている（図６（ｅ）参照）。なお、図５に示すストレーリンクトング１８は、絶縁操作棒３４が回動されることにより、可動締め付け部２２が上下動でき、図５（ｂ）に示す開状態と、図５（ｃ）に示す閉状態をとり得るようになっている。また、図６に示す絶縁ヤットコ２３は、主絶縁操作棒３５に取り付けられたハンドル３６が操作され、ハンドル３６に一端が接続された副絶縁操作棒３７が操作されることにより、副絶縁操作棒３７を介して一対の把持アーム２５，２５が開閉操作され、図６（ａ）〜（ｂ）に示す開状態と、図６（ｃ）に示す閉状態と、図６（ｄ）に示す先端把持状態とをとり得るようになっている。また、図６（ｅ）に例示したクイック型ヤットコ２８は、図６（ａ）〜（ｄ）に示した絶縁ヤットコ２３と一対の把持アーム３１，３１の構成が相違するものの、他の基本的構成が絶縁ヤットコ２３と同様であるので、絶縁ヤットコ２３の説明と重複する説明を省略する。また、図５に示したストレーリンクトング１８の先端工具２０、図６（ａ）〜（ｄ）に示した絶縁ヤットコ２３の先端工具２４、及び図６（ｅ）に示したクイック型ヤットコ２８の先端工具３０は、図１に示した一対の腕金保持アーム７，７間の隙間に挿入され、第１の棒状体１１を円滑に把持できるようになっている。
【００１６】
図１乃至図３に示すように、碍子支持腕６は、断面が矩形形状の金属製筒状体であり、側面６ａに一対の腕金保持アーム７，７の先端が固定され、高圧ピン碍子４の取付ボルト４ａを挿入するためのボルト穴３８が上辺部（碍子支持面）６ｂと下辺部６ｃとを貫通するように高圧ピン碍子４の数（３個）と同数だけ等間隔で形成されている。また、碍子支持腕６は、上辺部６ｂのボルト穴３８とボルト穴３８の中間位置に金属製の第２の把持部４０が取り付けられている。この第２の把持部４０は、隣り合う高圧ピン碍子４，４に接触しないように碍子支持腕６に取り付けられている。そして、この第２の把持部４０は、碍子支持腕６の上辺部６ｂに溶接された第２の棒状体４１と、この第２の棒状体４１の先端に一体に形成された円板状の鍔状体（ストッパ）４２とを有している。第２の棒状体４１は、第１の棒状体１１と同様に金属の丸棒であり、第１の棒状体１１と同じ太さに形成され、鍔状体４との境界部分（接続部分）４３が高圧ピン碍子４の内側スカート部４ｂの下端よりも下方（碍子支持腕６の上辺部６ｂ寄り）に位置し且つ鍔状体４２が高圧ピン碍子４の内側スカート部４ｂ及び外側スカート部４ｃに接触しない位置に配置される長さに形成されている。鍔状体４は、図５（ｃ）に示すように、第２の棒状体４１が第２の間接活線工具３９としてのストレーリンクトング１８に把持された状態において、先端工具２０のフック部２１又は可動締め付け部２２の側面に当接し、ストレーリンクトング１８の先端工具２０が第２の棒状体４１に沿ってずれ動くのを制限し、ストレーリンクトング１８の先端工具２０が第２の棒状体４１から抜け出るのを阻止できるように第２の棒状体４１の周囲に張り出している。また、鍔状体４２は、図６（ｃ）に示すように、第２の棒状体４１が第２の間接活線工具３９としての絶縁ヤットコ２３の先端工具２４に把持された状態において、先端工具２４の一対の把持アーム２５，２５の少なくとも一方の側面に当接し、絶縁ヤットコ２３の先端工具２４が第２の棒状体４１に沿ってずれ動くのを制限し、絶縁ヤットコ２３の先端工具２４が第２の棒状体４１から抜け出るのを阻止できるように第２の棒状体４１の周囲に張り出している。また、鍔状体４２は、図６（ｅ）に示すように、第２の棒状体４１が第２の間接活線工具３９としてのクイック型ヤットコ２８の先端工具３０に把持された状態において、先端工具３０の一対の把持アーム３１，３１の少なくとも一方の側面に当接し、クイック型ヤットコ２８の先端工具３０が第２の棒状体４１に沿ってずれ動くのを制限し、クイック型ヤットコ２８の先端工具３０が第２の棒状体４１から抜け出るのを阻止できるように第２の棒状体４１の周囲に張り出している。このように、碍子支持腕６に取り付けられた第２の把持部４０は、第２の間接活線工具の第２の先端工具（例えば、絶縁ヤットコ２３の先端工具２４）で第２の棒状体４１が把持された状態において、第２の先端工具（例えば、絶縁ヤットコ２３の先端工具２４）の把持位置にずれが生じたとして、第２の先端工具（例えば、絶縁ヤットコ２３の先端工具２４）が高圧ピン碍子４に接触しないように、碍子支持腕６に支持された高圧ピン碍子４と第２の先端工具（例えば、絶縁ヤットコ２３の先端工具２４）との間にスペースを確保してある。なお、鍔状体４２は、外周形状が円形形状のものを例示したが、外周形状が多角形状（四角形、六角形等）のものでもよい。
【００１７】
図４は、本実施形態に係る高圧引下線支持金物１が第１及び第２の間接活線工具１７，３９によって把持された状態を示す図である。なお、図４において、高圧引下線支持金物１は、その一部を図３のＢ１−Ｂ１線に沿って切断したものである。また、この図４において、高圧引下線支持金物１は、３個の高圧ピン碍子４が碍子支持腕６によって支持され、各高圧ピン碍子４に高圧引下線５が取り付けられているが、第１及び第２の間接活線工具１７，３９による把持状態を明示するため、これら高圧ピン碍子４及び高圧引下線５を省略してある（図２及び図７参照）。
【００１８】
この図４に示すように、高圧引下線支持金物１は、第１の棒状体１１が第１の間接活線工具１７としてのストレーリンクトング１８で把持され、第２の棒状体４１が第２の間接活線工具３９としての絶縁ヤットコ２３で把持されている。この図４において、第１の棒状体１１は、ストレーリンクトング１８のフック部２１に引っ掛けられ、ストレーリンクトング１８のフック部２１と可動締め付け部２２とによって把持されているため、フック部２１と可動締め付け部２２との間から軸心に対して直交する方向へ抜け出ることがない（図５（ｃ）参照）。また、第１の棒状体１１を把持したストレーリンクトング１８の先端工具２０は、第１の棒状体１１に沿ってずれ動くのが一対の腕金保持アーム７，７によって制限されるようになっている。また、この図４において、第２の棒状体４１は、絶縁ヤットコ２３の一対の把持アーム２５，２５の隙間２７に収容されて把持されているため、一対の把持アーム２５，２５の隙間２７から軸心に対して直交する方向へ抜け出ることがない（６（ｃ）参照）。また、第２の棒状体４１を把持した絶縁ヤットコ２３の一対の把持アーム２５，２５は、第２の棒状体４１に沿ってずれ動くのが鍔状体４２によって制限され、高圧ピン碍子４の内側及び外側スカート部４ｂ，４ｃに接触することがない。そして、この図４に示すように、高圧引下線支持金物１は、第１の棒状体１１がストレーリンクトング１８で把持され、且つ、第２の棒状体４１が絶縁ヤットコ２３で把持された状態において、ストレーリンクトング１８の絶縁操作棒３４が第１の作業者（図示せず）によって操作され、絶縁ヤットコ２３の主絶縁操作棒３５が第２の作業者（図示せず）によって操作されることにより、腕金保持部３が腕金２の一端部側に取り付けられる。その後、高圧引下線支持金物１は、門型固定プレート１２が腕金２に係合され、門型固定プレート１２がボルト１３とナット１４とで一対の腕金保持アーム７，７に締め付け固定されることにより、腕金２の一端部側に固定される（図７参照）。なお、門型固定プレート１２を腕金保持部３に取り付ける作業及び門型固定プレート１２を一対の腕金保持アーム７，７にボルト１３とナット１４とで締め付け固定する作業は、絶縁ヤットコ２３等によって行われる。また、本実施形態に係る高圧引下線支持金物１は、第１の棒状体１１がストレーリンクトング１８で把持され、第２の棒状体４１が絶縁ヤットコ２３で把持される態様を例示したが、これに限られず、第１及び第２の棒状体１１，４１をストレーリンクトング１８で把持するようにしてもよく、第１及び第２の棒状体１１，４１を絶縁ヤットコ２３で把持するようにしてもよい。また、本実施形態に係る高圧引下線支持金物１は、第１の棒状体１１を絶縁ヤットコ２３で把持し、第２の棒状体４１をストレーリンクトング１８で把持するようにしてもよい。さらに、本実施形態に係る高圧引下線支持金物１は、ストレーリンクトング１８と絶縁ヤットコ２３のいずれか一方又は両方をクイック型ヤットコ２８に代え、第１乃至第２の棒状体１１，４１のいずれか一方又は両方をクイック型ヤットコ２８によって把持するようにしてもよい。
【００１９】
また、図４及び図７に示すように、高圧引下線支持金物１は、一対の腕金保持アーム７，７の先端側（傾斜アーム部分１５）が斜め下方へ向かって傾斜するように略くの字形状に形成され、第２の把持部４０の第２の棒状体４１が碍子支持腕６を介して前記一対の腕金保持アーム７，７の先端側に直交するように固定されているため、第１の棒状体１１（第１の把持部）を第１の間接活線工具１７（例えば、ストレーリンクトング１８）によって下方から容易に把持でき、且つ、第２の棒状体４１を第２の間接活線工具３９（例えば、絶縁ヤットコ２３）によって斜め下方から容易に把持できると共に、第１の間接活線工具１７（例えば、ストレーリンクトング１８）を第１の作業者が容易に操作でき、第２の間接活線工具３９（例えば、絶縁ヤットコ２３）を第２の作業者が容易に操作できる。その結果、高圧引下線支持金物１は、第１の間接活線工具１７（例えば、ストレーリンクトング１８）と第２の間接活線工具３９（例えば、絶縁ヤットコ２３）を使用して腕金２に容易に取り付けられる。
【００２０】
以上のように構成された本実施形態に係る高圧引下線支持金物１は、碍子支持腕６に固定された第２の把持部４０と碍子支持腕６に取り付けられた高圧ピン碍子４の内側及び外側スカート部４ｂ，４ｃとの間にスペースを確保すると共に、第２の把持部４０の第２の棒状体４１を把持する第２の間接活線工具３９の先端工具（例えば、絶縁ヤットコ２３の先端工具２４）が第２の棒状体４１に沿ってずれ動くのを制限し、第２の間接活線工具３９の先端工具（例えば、絶縁ヤットコ２３の先端工具２４）が高圧ピン碍子４の内側及び外側スカート部４ｂ，４ｃに接触するのを阻止する鍔状体４２（ストッパ）が第２の棒状体４１に形成されているため、第２の把持部４０が第２の間接活線工具３９（例えば、絶縁ヤットコ２３）で把持された状態で腕金２の一端部に取り付けられる際に、第２の間接活線工具３９の先端工具（例えば、絶縁ヤットコ２３の先端工具２４）の把持位置にずれを生じたとしても、高圧ピン碍子４の内側及び外側スカート部４ｂ，４ｃが第２の間接活線工具３９の先端工具（例えば、絶縁ヤットコ２３の先端工具２４）と衝突することがなく、高圧ピン碍子４の内側及び外側スカート部４ｂ，４ｃが第２の間接活線工具３９の先端工具（例えば、絶縁ヤットコ２３の先端工具２４）との衝突に起因する破損を生じることがない。
【００２１】
また、本実施形態に係る高圧引下線支持金物１は、一対の腕金保持アーム７，７の傾斜アーム部分１５，１５の先端に碍子支持腕６が固定され、高圧ピン碍子４が碍子支持腕６から斜め上方へ向かって起立するように碍子支持腕６の上辺部６ｂに取り付けられているため、高圧ピン碍子４に支持された高圧引下線５が高圧ピン碍子４の周囲の充電部（例えば、碍子支持腕６）に接触しにくく、作業者の安全を確保することができる。
【００２２】
また、本実施形態に係る高圧引下線支持金物１は、腕金保持部３に設けられた第１の棒状体１１（第１の把持部）が第１の間接活線工具１７の第１の先端工具（例えば、ストレーリンクトング１８の先端工具２０）で把持され、複数の高圧ピン碍子４及び高圧引下線５を支持する碍子支持腕６に設けられた第２の把持部４０の第２の棒状体４１が第２の間接活線工具３９の第２の先端工具（例えば、絶縁ヤットコ２３の先端工具２４）で把持されるため、重心が安定した状態で腕金２に取り付けられ、重心のずれに起因する落下の虞がなくなり、作業者の負担が軽減される。
【００２３】
また、本実施形態に係る高圧引下線支持金物１は、上述のように、腕金２に取り付ける際に、高圧ピン碍子４が第２の先端工具（例えば、絶縁ヤットコ２３の先端工具２４）で傷付けられることがなく、また、重心のずれに起因する落下の虞がなくなり、作業者の負担が軽減されるため、作業効率が向上し、作業時間（停電時間）を短縮することが可能になる。
【００２４】
［第２実施形態］
図８は、本発明の第２実施形態に係る高圧引下線支持金物１を示す図であり、第２の把持部５０が取り付けられた高圧引下線支持金物１の外観斜視図である。また、図９は、本発明の第２実施形態に係る高圧引下線支持金物１が高圧引留碍子５１及び高圧引下線（図示せず）を支持した状態で腕金２の端部に固定された状態を示す図である。なお、本実施形態に係る高圧引下線支持金物１は、碍子支持腕５２及び第２の把持部５０が第１実施形態に係る高圧引下線支持金物１と相違するものの、他の構成が第１実施形態に係る高圧引下線支持金物１と同様であるので、第１実施形態に係る高圧引下線支持金物１の説明と重複する説明を省略する。
【００２５】
図８乃至図９に示すように、本実施形態に係る高圧引下線支持金物１は、碍子支持腕５２，５２が一対の腕金保持アーム７，７の傾斜アーム部分１５，１５の先端にそれぞれ一体に形成されており、その一対の碍子支持腕５２，５２が複数の茶台碍子５３を貫通する碍子取付軸５４を中央の茶台碍子５３の両側で支持するようになっている。一対の碍子支持腕５２，５２の先端側には、碍子取付軸５４が貫通する軸穴５４ａが形成されている。なお、本実施形態において、高圧引留碍子５１は、碍子取付軸５４に取り付けられた３個の茶台碍子５３によって構成されている。
【００２６】
一対の碍子支持腕５２，５２の先端側には、金属製の第２の把持部５０が取り付けられている。この第２の把持部５０は、一対の碍子支持腕５２，５２の先端側に固定された略短冊状の一対の支持板５５，５５と、この一対の支持板５５，５５の先端側に張り渡すように取り付けられた丸棒状の第２の棒状体５６とを有している。一対の支持板５５，５５は、一対の碍子支持腕５２，５２との接続部に碍子取付軸５４が貫通する軸穴５４ａが形成されている。第２の棒状体５６は、第１の棒状体１１と同じ太さに形成され、第２の間接活線工具３９の先端工具（例えば、ストレーリンクトング１８の先端工具２０、絶縁ヤットコ２３の先端工具２４、又はクイック型ヤットコ２８の先端工具３０）によって把持されるようになっている（図５（ｃ）、図６（ｃ）、図６（ｅ）参照）。一対の支持板５５，５５は、一対の碍子支持腕５２，５２の先端側から前方斜め上方向（図８乃至図９の左方向）に向かって延びており、第２の棒状体５６を把持した第２の間接活線工具３９の先端工具（例えば、絶縁ヤットコ２３の先端工具２４）と茶台碍子５３との間にスペースが確保される長さに形成されている。そして、第２の棒状体５６を把持した第２の間接活線工具３９の先端工具は、第２の棒状体５６の軸方向両端に位置する一対の支持板５５，５５によって第２の棒状体５６に沿って移動するのが制限される。すなわち、一対の支持板５５，５５は、第２の間接活線工具３９の先端工具が第２の棒状体５６に沿ってずれ動くのを制限するストッパになる。
【００２７】
以上のように構成された本実施形態に係る高圧引下線支持金物１は、碍子支持腕５２，５２に固定された第２の把持部５０の第２の棒状体５６と碍子支持腕５２，５２に支持された茶台碍子５３（高圧引留碍子５１）との間に、第２の棒状体５６を把持する第２の間接活線工具３９の第２の先端工具（例えば、絶縁ヤットコ２３の先端工具２４）の把持位置にずれが生じたとしても、第２の先端工具（例えば、絶縁ヤットコ２３の先端工具２４）が茶台碍子５３に接触しないように、碍子支持腕５２，５２に支持された茶台碍子５３と第２の先端工具（例えば、絶縁ヤットコ２３の先端工具２４）との間にスペースが確保されるようになっている。そのため、本実施形態に係る高圧引下線支持金物は、腕金保持部３を腕金２の端部に取り付ける際に、第２の先端工具（例えば、絶縁ヤットコ２３の先端工具２４）の把持位置にずれが生じたとしても、碍子支持腕に支持された茶台碍子５３が第２の先端工具（例えば、絶縁ヤットコ２３の先端工具２４）によって傷付けられることがない。
【００２８】
また、本実施形態に係る高圧引下線支持金物１は、第２の把持部５０の第２の棒状体５６を把持する第２の間接活線工具３９の先端工具（例えば、絶縁ヤットコ２３の先端工具２４）が第２の棒状体５６に沿ってずれ動くのを一対の支持板５５，５５で制限し、第２の間接活線工具３９の先端工具が第２の棒状体５６の軸方向端部から抜けてしまうのを防止できるため、第１の間接活線工具１７と第２の間接活線工具３９によって確実且つ安全に腕金２に取り付けることができる。
【００２９】
また、本実施形態に係る高圧引下線支持金物１は、腕金保持部３に設けられた第１の棒状体１１（第１の把持部）が第１の間接活線工具１７の第１の先端工具（例えば、ストレーリンクトング１８の先端工具２０）で把持され、複数の茶台碍子５３及び高圧引下線（図示せず）を支持する碍子支持腕５２に設けられた第２の把持部５０の第２の棒状体５６が第２の間接活線工具３９の第２の先端工具（例えば、絶縁ヤットコ２３の先端工具２４）で把持されるため、重心が安定した状態で腕金２に取り付けられ、重心のずれに起因する落下の虞がなくなり、作業者の負担が軽減される。
【００３０】
また、本実施形態に係る高圧引下線支持金物１は、上述のように、腕金２に取り付ける際に、茶台碍子５３が第２の先端工具（例えば、絶縁ヤットコ２３の先端工具２４）で傷付けられることがなく、また、重心のずれに起因する落下の虞がなくなり、作業者の負担が軽減されるため、作業効率が向上し、作業時間（停電時間）を短縮することが可能になる。
【００３１】
［その他の実施形態］
本発明に係る高圧引下線支持金物は、上記第１及び第２実施形態に開示した構成に限定されるものでなく、構成の一部を適宜変更することができる。例えば、第１及び第２実施形態に係る高圧引下線支持金物１において、第１及び第２の棒状体は、丸棒状に限定されず、断面が多角形（例えば、六角形）の棒状体でもよい。
【符号の説明】
【００３２】
１……高圧引下線支持金物、２……腕金、３……腕金保持部、４……高圧ピン碍子（碍子）、５……高圧引下線、６，５２……碍子支持腕、１１……第１の棒状体（第１の把持部）、１７……第１の間接活線工具、１８……ストレーリンクトング、２０……第１，第２の先端工具、２３……絶縁ヤットコ、２４……第１，第２の先端工具、２８……クイック型ヤットコ、３０……第１，第２の先端工具、３９……第２の間接活線工具、４０，５０……第２の把持部、５３……茶台碍子（碍子）
【図１】
0006459053.tif 000002
【図２】
0006459053.tif 000003
【図３】
0006459053.tif 000004
【図４】
0006459053.tif 000005
【図５】
0006459053.tif 000006
【図６】
0006459053.tif 000007
【図７】
0006459053.tif 000008
【図８】
0006459053.tif 000009
【図９】
0006459053.tif 000010
【図１０】
0006459053.tif 000011
【図１１】
0006459053.tif 000012
【図１２】
0006459053.tif 000013
【図１３】
0006459053.tif 000014
【図１４】
0006459053.tif 000015